(57)【要約】  ２本の帯状体（12, 14; 46, 48）を有し、各帯状体の２つの端部の一方が時計のケース（24、44）に固定される腕時計のバンドであって、該バンドがレンチキュラー形の拡大鏡（18、40、58）を備えていることを特徴とするバンド。【選択図】          図４
2010518928.tif 000002
【特許請求の範囲】
【請求項１】
２本の帯状体（12, 14; 46, 48）と留め金（10、32）とを有する型の腕時計のバンドであって、各帯状体の２つの端部の一方が時計のケース（24、44）に固定され、該留め金は２つの帯状体（28、30）の他方の端部に取り付けられると共に開位置と閉位置とを占めることができ、前記バンドが、レンチキュラー形の拡大鏡（18、40、58、78）をさらに有することを特徴とする腕時計のバンド。
【請求項２】
前記留め金が前記閉位置を占めたときに前記拡大鏡を覆うように配設された保護部材をさらに有することを特徴とする、請求項１に記載のバンド。
【請求項３】
前記留め金が少なくとも２本のアーム（36a, 36b; 38a, 38b）を有しており、該少なくとも２本のアームは、各アームの２つの端部の内の一方の一部として形成された蝶番（36c; 38c）を用いて相互に蝶番式で連結されており、また、前記留め金が、前記アームの他端の一部である本体部分（34）を有しており、前記拡大鏡（40）が該本体部分（34）に取り付けられていることを特徴とする、請求項１に記載のバンド。
【請求項４】
前記拡大鏡（18）が前記２本の帯状体（22、46）の一方に取り付けられ、他方の帯状体が前記保護部材を形成することを特徴とする、請求項１に記載のバンド。
【請求項５】
前記拡大鏡（58）が蝶番式で取り付けられている堅い帯状体（46）を前記バンドが有しており、該帯状体が、前記拡大鏡（58）を収容することのできる収容函を備えており、該収容函の壁（46d）が前記保護部材を形成することを特徴とする、請求項１に記載のバンド。
【請求項６】
前記拡大鏡（58）が、回転と傾斜とによって該拡大鏡（58）を配向させる球状構造体（62）を介して前記帯状体（46）に取り付けられていることを特徴とする、請求項５に記載のバンド。
【請求項７】
前記拡大鏡（18、40）がサファイヤ製であることを特徴とする、請求項１〜６のいずれか一項に記載のバンド。
【請求項８】
前記留め金が中間アーム（66）と２本の端部アーム（64、68）とを有し、該中間アーム（66）が蝶番によって前記２つの端部アーム（64、68）に連結されており、前記拡大鏡（78）が前記中間アーム（66）に固定され、前記２つの端部アームが、バンドが閉じられたときに該拡大鏡（78）に隣接する部分に、前記保護部材を形成する可撓性のある薄葉部分（80、82）を有していることを特徴とする、請求項１に記載のバンド。
【請求項９】
請求項１に記載のバンドを有する腕時計であって、該腕時計がケース（34）をさらに有し、該ケース（24）と前記留め金（32）とが、相互に係合するように配設された雄部材（36d, 36e; 38d, 38e）と雌部材（24a, 24b）とを有しており、該雄部材と雌部材との配置によって前記拡大鏡（40）の位置が定まることを特徴とする腕時計。
【発明の詳細な説明】
【技術分野】
【０００１】
本発明は腕時計のバンドに関する。バンドは、通常、２本の帯状体を有しており、各帯状体の一端は腕時計のケースに、他端は留め金の一部に固定されている。留め金はバンドの開閉を可能にし、着用者の手首に腕時計を配置し、手首から腕時計を取り外し、また、手首上に腕時計を維持することができるようになっている。
【背景技術】
【０００２】
バンドの帯状体は、皮やプラスチックなどの可撓性のある材料、又は蝶番によって相互に接続された複数の連結体の形状をした、例えば、金属若しくはセラミックなどの堅い材料で作られている。
【０００３】
バンドは、また、腕時計のケースに蝶番によって接続された、円弧の形状をした２本の堅いアームによって作ることもできる。
【０００４】
留め金は、特に、２つの帯状体の内の一方にしっかりと取り付けられた、バックルと針とによって形成されており、この針は、他方の帯状体に設けられた孔に入る。留め金は、蝶番で連結され、留め付け部材によって閉じられる、一対又は二対のアームを有する展開型であってもよい。これらの異なった型のバンドと留め金との機能的な構造は、当業者によってよく知られているので、それらの留付状態維持機能については更に詳細には記載しない。
【０００５】
したがって、バンドの機能は一般に着用者の腕上で腕時計の着用状態を確実に維持することである。その一方で、例えば、カレンダーなどの情報が記載されたプレートが取り付けられたバンドも知られている。さらに、複数の連結体を有するバンドであって、該連結体の内の少なくとも１つが中空になっていて、例えばコンタクトレンズなどの直径の小さな物を収容するのに使用されるようになっているバンドも知られている。
【０００６】
例えば、CH 682,290は、拡大鏡などの物を配置することのできる架構を備えたバンドについて記載している。拡大鏡は取り外し可能であり、容易に除去することができる。さらに、FR 2,599,521は、ケース上を枢軸回転することができ、時刻表示部を覆うように取り付けられた鏡を備えている腕時計に関している。
【０００７】
US 5,601,222は、バンドの一方の帯状体に拡大鏡を組み込んだ腕時計に関する。その形状及び大きさ、また、あらゆる点から見て、これはフレネル型の拡大鏡であると考えられる。この型の拡大鏡は、一般に、プラスチックで作られている。この文献に記載されている態様においては、拡大鏡のサイズは間違いなく大きいが、この拡大鏡が変形して傷が付き、その機能を果たせなくなる危険性も高い。
【０００８】
US 1,874,984では、小さな鎖を用いて拡大鏡が腕時計に繋がれている。この小さな鎖は物を引っかけて、腕時計の着用を幾分不快にする危険性を有している。最後に、ドイツの実用新案DE 201'06'201は、留め金のキャップ又は時計のケースに拡大鏡を取り付けた腕時計について記載している。留め金のキャップに配置した拡大鏡は、その直径が厚さより小さい円筒形の部材でできているようであり、これでは、観察機能を十分に果たすことができない。
【０００９】
非常に品質の高い時計には、ケースの底に刻印された登録コードを有しているものがある。製品の美観に影響するのを避けるためにこのようなコードは目立たないものでなければならないので、このようなコードを読むのは非常に難しい。拡大鏡が付いていれば、この情報を確認することが可能になるのみならず、時計に施された装飾の精巧さを詳細に検査することも可能になる。
【先行技術文献】
【特許文献】
【００１０】
【特許文献１】CH 682,290
【特許文献２】FR 2,599,521
【特許文献３】US 5,601,222
【特許文献４】US 1,874,984
【特許文献５】ドイツ実用新案DE 201'06'201
【発明の概要】
【発明が解決しようとする課題】
【００１１】
本発明の目的は、時計の着用者が小さなサイズの物や印を見るのを可能にする一方で、前記欠点を解消することである。
【課題を解決するための手段】
【００１２】
この目的を達成するために、腕時計のバンドは、各々の端部の内の一方が時計のケースにしっかりと取り付けられるようになっている２本の帯状体と、開位置と閉位置とを占めることのできる留め金とを有する。本発明によると、このバンドは、該バンドに固定されたレンチキュラー形の拡大鏡を備えている。
【００１３】
「レンチキュラー形の拡大鏡」という記載によって、レンズの形状をした、即ち、中央部の厚さが周縁部の厚さよりもかなり大きい拡大鏡を意味している。厚さの比は、少なくとも２：１に等しい。勿論、周縁部は斜めにカットした縁端部を有していてもよい。
【００１４】
バンドが、留め金が閉じられたときに拡大鏡を覆うように配設された保護部材を有していると、好都合である。
【００１５】
第一の変形例においては、この留め金は少なくとも２本のアームを有しており、該２本のアームは、各アームの２つの端部の内の一方の一部として形成された蝶番を用いて相互に関節のように連結されている。留め金は、また、アームの他方の端部の一部である本体部分と、この本体部分に取り付けられた拡大鏡とを有している。
【００１６】
他の変形例においては、バンドの２つの帯状体の一方に拡大鏡が取り付けられ、他方の帯状体が保護部材を形成している。
【００１７】
拡大鏡が取り付けられている帯状体は堅くてもよく、拡大鏡は蝶番を用いてこの帯状体に取り付けられる。回転又は傾斜によって拡大鏡の方向を定めることのできる球状の構造体を介して、拡大鏡が帯状体に取り付けられていると効果的である。
【００１８】
拡大鏡に傷が付くのを防ぐために、この拡大鏡がサファイアで作られていると都合がよい。
【００１９】
他の変形例においては、１つの中間アームと２つの端部アームとによって留め金が作られており、中間アームは２つの端部アームに蝶番によって連結されている。拡大鏡は中間アームに固定され、２つの端部アームが、バンドが閉じられたときに拡大鏡に隣接する部分に、保護部材を形成する可撓性のある薄葉部分を有している。
【００２０】
本発明は、また、前記バンドを備えた腕時計に関する。この腕時計はケースも有している。このケースと留め金とが、相互に係合するように配置された雄部材と雌部材とを有している。
【００２１】
例として与えられ、図を参照してなされている以下の記載を読むことによって、本発明がよりよく理解されるであろう。
【図面の簡単な説明】
【００２２】
【図１】本発明の一態様を線図で示している。
【図２】本発明の別の態様を線図で示している。
【図２ａ】図２に示された態様の本体部分の拡大断面図である。
【図３】本発明のまた別の態様を線図で示している。
【図３ａ】図３に示された態様の帯状体の拡大断面図である。
【図４】拡大鏡がある一定の固さを有してケースに取り付けられている態様を示している。
【図５ａ】図４に示されている腕時計が備えている留め金の一例を示している。
【図５ｂ】図４に示されている腕時計が備えている留め金の他の例を示している。
【図６】拡大鏡を備えているマーキーズ形の時計を示している。
【図６ａ】図６に示されている時計のアームの拡大側面図である。
【図７】本発明による留め金のまた別の態様の上面図である。
【図８】図７に示された留め金の開いた位置での側面図である。
【図９】図７に示された留め金の閉じた位置での側面図である。
【発明を実施するための形態】
【００２３】
図１は、展開するバックル型であって、皮などの可撓性のある帯状体を有するバンドに備えるように設計された、腕時計のバンド用の留め金を示している。この留め金は、本体10、該本体10の２つの端部の各々にそれぞれ蝶番によって取り付けられた２本のアーム12と14、及び一方のアーム12に蝶番によって取り付けられたバックル16を有している。
【００２４】
本体10は、棒10cを介して、また、図においては見えていない複数の心棒によって相互に接続されている２本のバー10a及び10bを有しており、該心棒によってアーム12とアーム14とは本体10に接して確実に枢軸回動することができる。
【００２５】
一方のアーム12は、２本の棒状部12aと12bとを有する音叉形の構造を呈しており、該２本の棒状部のそれぞれの一端は接続されておらず、それぞれの他端は本体10に蝶番によって接続されているアームの部分において相互に接続されている。バー10aと10b、及び棒状部12aと12bとは、アーム12を本体10にノッチによって嵌合させるように配設されている。アーム12は、蝶番で連結されていない方の端部において、バンドの２本の帯状体の一方が固定されるバックル16を受けるように設計された、前記棒状部12a及び12bに垂直な２本の指状体12cと12dとを有している。
【００２６】
バー10aとバー10bとの間の空間は、棒状部12a及び12bとアーム14とが収容されるように定められる。
【００２７】
アーム14は、その中央部に、拡大鏡18が配置される円筒状の開口部を有しており、この拡大鏡は例えば接着剤によって開口部に固定される。アーム14の、本体10と関節状に接続されている端部とは反対側の端部は、２つの指状体14aと14bとを有している。２つの指状体は相互に一列になるように横方向に配置され、バンドの第二の帯状体の、ケースに取り付けられる方とは反対側の端部を受けるようになっている。
【００２８】
図１に示されているように、留め金が開かれると、拡大鏡18は腕時計の背面の上方に配置され、底面が透明である場合はケースの底面に現れている情報として時計の部品を見ることができ、又は、例えばスタンプ、メダル、宝石などの腕時計の底面に配置されている物を見ることができる。
【００２９】
この型の留め金を備えている腕時計が腕に置かれると、着用者は、まず、アーム14が本体10の２本のバー10aと10bとの間に嵌合するようにこのアームを下方に折り曲げ、次にアーム12を折り曲げて棒状部12aと12bとを本体10に挟み込む。その一方で、アーム12の端部とバックル16とがアーム14を覆って所定の位置に保持する。この位置において、バックル16と係合したバンドの帯状体が拡大鏡18を覆ってこれを保護し、こうして保護部材を形成する。
【００３０】
図２の態様においては、本体10と２本のアーム12及び14とが示されている。この態様において、アーム12と14とは両方とも音叉構造をしており、本体10に挟み込まれる。この本体は、その中央部に、拡大鏡18が固定される円筒状の開口部を備えている。図２ａは、拡大鏡18を支持する本体10の部分の拡大断面図を示している。この図によって示されるように、本体10は頭部を切断した円錐形の肩部10dを有しており、そこに拡大鏡18が載置される。本体10の壁面には雌ネジ10eが切ってあり、この雌ネジに環20がねじ込まれる。このようにして、拡大鏡18が所定の場所に維持される。この変形例においても、バックル16に係合しているバンドの帯状体が、バンドを閉じた状態では拡大鏡を覆って保護する。
【００３１】
拡大鏡18は、透明な材料であればとのようなタイプの物によっても実現することができるが、傷が付かないようにサファイアで作られると好ましい。
【００３２】
図３に示されている態様においては、バンドはバックル16を備えた帯状体22を有している。図３ａに示されているように、この帯状体22は、半硬質材料で作られ、相互に接合された２枚のシート22aと22bとで形成された芯を有しており、この芯には切り抜き部22cが設けられている。切り抜き部22cよりも大きな直径を有している拡大鏡18はそこに収容され、所定の位置に保持される。前記芯は革製の２枚のシート22dと22eとによって覆われており、バンドに優美な外観を与えると共に着用者に心地よさを与えている。この態様においても、バンドの第二の帯状体の端部が拡大鏡18を覆っている。
【００３３】
図４は、ケース24と、二本の帯状体28及び30と留め金32を備えている腕時計を側方から見た状態を示している。留め金は、中央本体34と、文字ａとｂとによって識別されている二対のアームとを有している。アームは文字ｃによって識別される屈曲部において蝶番によって接続されており、関節部を形成している。これらのアームは、その一端で前記中央本体34に、他端で帯状体28と30とに、それぞれ蝶番によってしっかりと取り付けられている。
【００３４】
アーム対36のアーム36aと36bとは、関節接続部を形成するそれらの屈曲部36cを超えた位置に、アームが開いたときに互いから離れようとする２本の指状体36dと36eとを有している。アーム38aと38bとについても、対称的に、構造は同じとなっている。
【００３５】
前記ケース24は、前記指状体36d及び36eと指状体38d及び38eとがそれぞれ係合する収容凹部24aと24bとを有している。アームが相互に離れると、それぞれのアームの指状体は各々の収容凹部24aと24bとに保持される。
【００３６】
中央本体34は環39を有しており、その内側に拡大鏡40が取り付けられている。拡大鏡40の固定は、図２に関して説明したように、接着剤による固定又は機械的手法によるなど、様々に異なる方法で行うことができる。
【００３７】
帯状体28と30とが蝶番によって連結された型のものである場合は、２つの帯状体は、それらの重さによって、アーム対36と38とのａとｂとを離してそれらを収容凹部24a中に維持しようとすることに注意されたい。このようにして、拡大鏡40はケース24に配置され、該ケースの底面はそこで拡大鏡によって検査される対象物を配置するための支持体として機能することができる。勿論、ケースの底面が透明であればムーブメントの構造を賞賛することも可能であるし、登録コードなどの底面に刻印された情報を読むことも可能である。
【００３８】
二対のアーム36と38とがケース24と係合しているこの方法によって、申し分ない配置を確実に行うことができる。その一方で、観察される面上を通過するようにアーム36a又は38aを押すことによって、拡大鏡40を横方向に動かすことも可能である。
【００３９】
この態様において、アーム36bは拡大鏡40を覆って保護部材を形成するように延長することもできる。
【００４０】
図５ａ及び５ｂは、図４の腕時計に装着される、中央本体34とアーム36b及び38bとを有している留め金の変形例の側面図と断面図とをそれぞれ示している。この変形例において、中央本体34は２つのシェル34aと34bとで形成されている。この２つのシェルはその間に収容部を定め、その側壁はラック構造体34c及び34dを有している。短冊状バネ42が収容部に配設されている。アーム36と38とは、それぞれ、中央本体34に近い方の端部に参照符号ｆとｇとを有する２つの指状部を有し、各指状部の末端には参照符号ｈとｉとによって示される頭部を備えている。同一のアームの指状部ｆとｇとは同軸であり、前記ラック34c及び34dの歯とそれぞれ咬合するように配設されている。頭部ｈとｉとは前記短冊状バネ42に当接して収容部の内側に配置され、この短冊状バネは指状部をラックの歯と歯の間の空間に押し付ける力を及ぼす。このようにして、アーム36aとアーム38aとの間の距離を調節することができる。中央本体34に近い方のアーム36aの端部とアーム38aの端部とが相互に近接しているほど、拡大鏡40が底面に近くなる。バンドの長さを非常に簡単に調節することも可能になることに注意されたい。
【００４１】
図６と６ａとに示されている腕時計はマーキーズ形をしている。この腕時計は、ケース44と該ケース44に蝶番式に取り付けられている２本の堅いアーム状の帯状体46と48とを有しており、バネ付き蝶番50と52とを用いて２つのアームを相互に近付けるようにしている。アーム状帯状体46の端部の拡大側面図である図６ａに示されているように、このアーム状の帯状体46は、前記蝶番50とは反対側の端部に開口部46aを有しており、そこには長円形の部材54が配設されている。この部材54は、拡大鏡58を有する中央部56と、部材の端部の一方にあり、球体62を備えている桿60とを有している。開口部46aは、球体62を受け入れる収容架構46cが形成されているスリット46bに隣接している。
【００４２】
開口部56aは、底面壁がアーム状帯状体の凸面側に位置する収容函によって置き換えることもできる。このようにすると、拡大鏡58が収容されたときに、該拡大鏡がこの底面壁によって保護される。
【００４３】
部材54は、アーム状帯状体46に設けられると共に前記中央部56の枠に形成された凹部と係合するボールによって前記開口部46a中に保持されると好ましい。
【００４４】
部材54は、アーム状帯状体46から外して、２本のアーム状帯状体46と48との間に持ってくることができる。図示されていない変形例においては、よりよい配置のために部材54は二本のアーム状帯状体の間に挟むことができる。前記球体62と収容架構46cとによって保証される玉継ぎ手による接続により、この部材を実質的にあらゆる位置に回転することも可能である。
【００４５】
拡大鏡58は頭部を切断したレンチキュラー型のものであり、拡大鏡が収容される開口部の形状である雫形に合わせてある。
【００４６】
この態様において、もう一方のアーム状帯状体48も拡大鏡を有し、両方の拡大鏡を組み合わせることによってより拡大能の高い光学部材にすることもできる。腕時計の底面に平行な軸に沿って配向するように２つの拡大鏡を配置することによって、例えば、劇場での使用が可能な小さな望遠鏡を実現することも可能である。
【００４７】
拡大鏡を保護して汚れるのを防ぐために、バンドは、使用中は取り外している、カバー又は取り外し可能なスリーブを備えていてもよい。
【００４８】
拡大鏡を十分に保護する他の方法は図７〜９に示されている。これらの図に示されている留め金は、一列に配置され、相互に蝶番式に連結された３本のアーム64、66、68を有している。これらのアームは、折り畳まれたときに実質的に重ね合わされるような形状をしている。アーム64はバンドの第一の帯状体72に細片70を用いて取り付けられている。アーム68はバックル74を備えており、このバックルとバンドの第二の帯状体76とが係合する。図示されていないが、バックル74は針を備えており、第二の帯状体に設けられた複数の孔の内の１つを通してこの針が第二の帯状体に留め付けられる。このようにして、バンドの長さを調節することができる。
【００４９】
中間のアーム66は、レンチキュラー型の拡大鏡78を有している。この拡大鏡は、図３ａに示されているように、アームに接着剤で固定されるか、把持されている。さらに、アーム64と68とは、それらの中央部に、例えば革製の薄葉部分80と82とを有している。これらの薄葉部分は、３本のアームが折り畳まれたときに、即ち、留め金が閉じられ、したがって時計が着用されたときに３本のアームが占める位置において、拡大鏡78を覆うように配置される。このようにして、拡大鏡が完全に保護される。
【００５０】
これまでに記載してきた時計のバンドは、本発明の範囲を超えることなく、数多くの他の様々な変更の対象となり得る。このように、図１〜４に示された方法は、留め金が一対の展開アームのみを有しているバンドにも適用することができる。
【００５１】
時計のケースに対して拡大鏡を配置するのには、他の手段も用いることができる。これらの手段はバンドに直接接続することができる。また、ケースと一体である可動部材によっても形成することができる。
【００５２】
環を用いて固定されるよりも、拡大鏡がそれ自身の留め付け手段を有するような形状をしていてもよい。
【００５３】
いずれの場合であっても、この型のバンドを備えた腕時計によって、少なくともある条件下で、近付いて見たり離れて見たりする、使用者の観察環境を向上させる補足部品が提供される。
【図１】
2010518928.tif 000003
【図２】
2010518928.tif 000004
【図２ａ】
2010518928.tif 000005
【図３】
2010518928.tif 000006
【図３ａ】
2010518928.tif 000007
【図４】
2010518928.tif 000008
【図５ａ】
2010518928.tif 000009
【図５ｂ】
2010518928.tif 000010
【図６】
2010518928.tif 000011
【図６ａ】
2010518928.tif 000012
【図７】
2010518928.tif 000013
【図８】
2010518928.tif 000014
【図９】
2010518928.tif 000015
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
２本の帯状体（28、30）と留め金（10、32）とを有する型の腕時計のバンドであって、各帯状体の２つの端部の一方が時計のケース（24）に固定され、該留め金は２つの帯状体（28、30）の他方の端部に取り付けられると共に開位置と閉位置とを占めることができ、前記バンドが、レンチキュラー形の拡大鏡（40）を有するバンドにおいて、前記留め金が本体部分（34）と少なくとも２本のアーム（36a, 36b; 38a, 38b）とを有しており、該少なくとも２本のアームは屈曲部（36c; 38c）において関節式に相互に連結されており、前記アーム（36a, 36b; 38a, 38b）は該アームの一端で前記本体部分（34）に蝶番式に接続されており、前記２本の帯状体（28、30）に該アームの他端で接続されており、前記拡大鏡（40）が前記本体部分（34）に取り付けられていることを特徴とするバンド。
【請求項２】
前記留め金が前記閉位置を占めたときに前記拡大鏡を覆うように配設された保護部材をさらに有することを特徴とする、請求項１に記載のバンド。
【請求項３】
前記２本の帯状体の内の一方（28）に関節式に接続された前記少なくとも２本のアームの内の１つ（36b）が、前記拡大鏡（40）を覆って前記保護部材を形成することを特徴とする、請求項２に記載のバンド。
【請求項４】
前記少なくとも２本のアーム（36a, 36b; 38a, 38b）が、前記屈曲部（36c; 38c）を超えた位置に、各２本の指状体（36d, 36e; 38d, 38e）を有することを特徴とする、請求項１〜３のいずれか一項に記載のバンド。
【請求項５】
前記拡大鏡（40）がサファイヤ製であることを特徴とする、請求項１〜４のいずれか一項に記載のバンド。
【請求項６】
請求項１〜５のいずれか一項に記載のバンドを有する腕時計であって、該腕時計がケース（24）をさらに有し、該ケース（24）と前記留め金（32）とが、相互に係合するように配設された雄部材（36d, 36e; 38d, 38e）と雌部材（24a, 24b）とを有しており、該雄部材と雌部材との配置によって前記拡大鏡（40）の位置が定まることを特徴とする腕時計。
【手続補正書】
【提出日】平成21年10月23日(2009.10.23)
【手続補正１】
【補正対象書類名】特許請求の範囲
【補正対象項目名】請求項１
【補正方法】変更
【補正の内容】
【請求項１】
２本の帯状体（28、30）と留め金（10、32）とを有する腕時計のバンドであって、各帯状体の２つの端部の一方が時計のケース（24）に固定され、該留め金は２つの帯状体（28、30）の他方の端部に取り付けられると共に開位置と閉位置とを占めることができ、前記バンドが、レンチキュラー形の拡大鏡（40）を有するバンドにおいて、前記留め金が本体部分（34）と少なくとも２本のアーム（36a, 36b; 38a, 38b）とを有しており、該少なくとも２本のアームは屈曲部（36c; 38c）において関節式に相互に連結されており、前記アーム（36a, 36b; 38a, 38b）は該アームの一端で前記本体部分（34）に蝶番式に接続されており、前記２本の帯状体（28、30）に該アームの他端で接続されており、前記拡大鏡（40）が前記本体部分（34）に取り付けられていることを特徴とするバンド。
【国際調査報告】
2010518928.tif 000016
2010518928.tif 000017
2010518928.tif 000018
2010518928.tif 000019